(57)【要約】【課題】安全性に優れ且つ低コストに製造することが可能な把手部材付きの介護用シーツを提供する。【解決手段】横臥する人の下に敷設される柔軟性を有するシーツ本体４と、横臥する人の頭に対応する側を上、足に対応する側を下、横に対応する側を右又は左としたとき、シーツ本体４の裏面の少なくとも左右両側に沿って取り付けられたベルト状の把手部材５とからなり、把手部材５を握ってシーツ本体４ごとその上に横臥する人を持ち上げ得るようにした介護用シーツ１であって、  把手部材５は、上下方向に長い長尺材５ａの両端と中間とをシーツ本体４の裏面に縫合部６ａ〜６ｅで固着して非固着部分を握り得るようにした。この介護用シーツ１は、長尺材５ａの両端と中間をシーツ本体４に固着することで一列に並ぶ複数の把手部材５を簡単に製造することができる。【選択図】        図２
2018050709.tif 000002
【特許請求の範囲】
【請求項１】
横臥する人の下に敷設される柔軟性を有するシーツ本体と、
横臥する人の頭に対応する側を上、足に対応する側を下、横に対応する側を右又は左としたとき、前記シーツ本体の裏面の少なくとも左右両側に沿って取り付けられたベルト状の把手部材と、からなり、
前記把手部材を介助者が握って前記シーツ本体ごとその上に横臥する人を持ち上げ得るようにした介護用シーツであって、
前記把手部材は、上下方向に長い長尺材の両端と中間とをシーツ本体の裏面に固着して非固着部分を握り得るようにしたことを特徴とする介護用シーツ。
【請求項２】
前記把手部材は、前記長尺材が前記シーツ本体のほぼ上部からほぼ下部に亘る長さを有するものであり、さらに中間の固着部分が三箇所以上であることを特徴とする請求項１記載の介護用シーツ。
【請求項３】
前記把手部材は、前記シーツ本体の側方に巻き込んだ状態で握り用の芯になり得る強さであることを特徴とする請求項１又は２に記載の介護用シーツ。
【請求項４】
前記シーツ本体は、バスタオルで形成したものであることを特徴とする請求項１乃至３の何れか１項に記載の介護用シーツ。
【発明の詳細な説明】
【技術分野】
【０００１】
本発明は、ベッドや敷き布団の上に敷いて使用すると共に状況に応じて担架のようにも使用し得る介護用シーツに関する。
【背景技術】
【０００２】
従来、横臥する人の下に敷設される柔軟性を有するシーツ本体と、横臥する人の頭に対応する側を上、足に対応する側を下、横に対応する側を右又は左としたとき、シーツ本体の裏面の少なくとも左右両側に沿って取り付けられたベルト状の把手部材と、からなり、その把手部材を介助者が握ってシーツ本体の上に横臥する人をシーツ本体ごと持ち上げ得るようにした介護用シーツがある（特許文献１参照。）。
【先行技術文献】
【特許文献】
【０００３】
【特許文献１】特許第４２５０２７９号公報
【発明の概要】
【発明が解決しようとする課題】
【０００４】
上記従来の介護用シーツは、例えば左右に並ぶ四つの把手部材が独立した状態でシーツ本体に個々に縫合等されて取り付けられていたため、各把手部材の位置決めや縫合に時間が掛かり、さらには、把手部材の縫合が一箇所でも損なわれた場合には、把手部材が手からすり抜ける可能性があり、最悪の場合、寝ている人が落下するリスクがあった。
【０００５】
本発明は、上記に鑑みなされたもので、その目的は、安全性に優れ且つ低コストに製造することが可能な介護用シーツを提供することにある。
【課題を解決するための手段】
【０００６】
上記の目的を達成するため本発明は、請求項１に記載したように、
横臥する人の下に敷設される柔軟性を有するシーツ本体と、
横臥する人の頭に対応する側を上、足に対応する側を下、横に対応する側を右又は左としたとき、前記シーツ本体の裏面の少なくとも左右両側に沿って取り付けられたベルト状の把手部材と、からなり、
前記把手部材を介助者が握って前記シーツ本体ごとその上に横臥する人を持ち上げ得るようにした介護用シーツであって、
前記把手部材は、上下方向に長い長尺材の両端と中間とをシーツ本体の裏面に固着して非固着部分を握り得るようにした介護用シーツを提供する。
【０００７】
また、請求項２に記載したように、前記把手部材は、前記長尺材が前記シーツ本体のほぼ上部からほぼ下部に亘る長さを有するものであり、さらに中間の固着部分が三箇所以上である請求項１記載の介護用シーツを提供する。
【０００８】
また、請求項３に記載したように、前記把手部材は、前記シーツ本体の側方に巻き込んだ状態で握り用の芯になり得る強さである請求項１又は２に記載の介護用シーツを提供する。
【０００９】
また、請求項４に記載したように、前記シーツ本体は、バスタオルで形成したものである請求項１乃至３の何れか１項に記載の介護用シーツを提供する。なお、バスタオルは、品名「バスタオル」として実取引されているものの他、バスタオルの範疇に入るサイズ・材質・製法で製造されたものであって、例えば品名「シーツ」として取引されるようなものも含む。これらのものは、品名が異なるのみで、その実態はバスタオルと異ならないからである。
【発明の効果】
【００１０】
請求項１に記載の介護用シーツによれば、一本の長尺材の両端と中間をシーツ本体に固着することで一列に並ぶ複数の把手部材が一括形成できるため、把手部材の数が多くても簡単に製造することができる。しかも、仮に握っている把手部材の中間側の固着が損なわれても、隣合う把手部材同士が繋がって一つの大きな把手部材を握っている格好になるため、把手部材が手からすり抜けて最悪寝ている人を落としてしまう、というリスクが殆どない。
【００１１】
また、請求項２に記載の介護用シーツによれば、シーツ本体の裏面側方に少なくとも四つずつ把手部材が形成できるため、横臥する人の体格に合わせて握る把手部材を選択することができる。しかもその把手部材は、一本の長尺材のそれぞれ両端の二箇所と中間の少なくとも三箇所、つまり少なくとも合計五箇所を固着するだけでよいため、簡単且つ安価に製造することができる。
【００１２】
また、請求項３に記載の介護用シーツによれば、シーツ本体の側方を把手部材が芯になるように巻き込んでそこに指を掛けることができるため、大柄の人の場合は把手部材に手を入れて持ち、小柄の人の場合はシーツ本体の側方を把手部材ごと巻いてシーツ幅を小さくし、その巻いた部分を握って持つ、というように横臥する人の体格に合わせてシーツ幅を適宜調節することができる。
【００１３】
また、請求項４に記載の介護用シーツによれば、シーツ本体をバスタオルで形成するようにしたため、吸湿性に優れ且つ洗い替えが容易でしかも低コストにすることができる、等の効果がある。
【図面の簡単な説明】
【００１４】
【図１】介護用シーツの表側から見た斜視図である。
【図２】介護用シーツの裏側から見た斜視図である。
【図３】図２の分解斜視図である。
【図４】使用状態を示す介護用シーツの横断側面図である。
【図５】（ａ）〜（ｃ）は側方の巻き込み状態を説明する介護用シーツの一部拡大断面図である。
【発明を実施するための形態】
【００１５】
以下に本発明の実施の形態を図面を参照しつつ説明する。
介護用シーツ１は、ベッド２や敷き布団の上に横臥する人（以下、「被介護者」という。）３の下に敷くシーツ本体４と、そのシーツ本体４の裏面に取り付けられたベルト状の把手部材５と、からなる。
【００１６】
［シーツ本体］
実施形態のシーツ本体４は、十分な強度と吸湿性と柔軟性を備え、洗濯が容易で低価格である、等の理由から市販のバスタオルをそのまま利用する。もっともシーツ本体４は、被介護者３の身体を支え得る大きさと強度を有するものであれば、一般的なシーツやベッドパッド等でもよい。
【００１７】
［把手部材］
把手部材５は、四角いシーツ本体４の、被介護者３の頭に対応する側を上、足に対応する側を下、横に対応する側を右又は左としたとき、裏面の左右両側に沿ってそれぞれ四つずつ一列に設けられている。
具体的な左右それぞれの把手部材５は、シーツ本体４の上部から下部に亘る長さの布ベルト製の長尺材５ａで形成され、その長尺材５ａの両端の二箇所と中間の三箇所に縫合部６ａ〜６ｅを設けてシーツ本体４に固着されており、図４の拡大図に示したようにシーツ本体４と把手部材５の相互の撓みを利用して介助者７がしっかりと握り得る。
【００１８】
実施形態の介護用シーツ１は、以上の構成を有するため、図４のようにベッド２の上面に敷いてその上に被介護者３を寝かせることができ、その場合把手部材５は、被介護者３の両横のしかも裏側に位置するため邪魔になりにくい。
次に、介護用シーツ１の上に横臥している被介護者３を持ち上げて移動させる場合は、二人以上の介助者７がベッド２の両横に立ち、それぞれがシーツ本体４の裏側に両手を入れて各自二つの把手部材５を図４拡大図のようにして握る。その際、被介護者３の体格に応じて使用する把手部材５を適宜選択することができる。
そして、この状態で両側の介助者７が同時に把手部材５を引き上げれば、シーツ本体４ごと被介護者３を持ち上げ、別の場所に移動させることができる。
【００１９】
なお、この時、例えば一方の長尺材５ａの縫合部６ｃが破損したとしても隣合う把手部材５同士が繋がって一つの大きな把手部材５を握っている格好になるにすぎないため、把手部材５が手からすり抜けて最悪寝ている人を落としてしまう、というリスクが殆どない。
【００２０】
また、図５（ａ）〜（ｃ）のように把手部材５を芯にしてシーツ本体４の側方を巻き込んでその部分を持つことも可能であり、そうすることによりシーツ本体４のシーツ幅を小さくして小柄な被介護者３にフィットさせることができる。
【００２１】
以上本発明を実施の形態について説明したが、もちろん本発明は上記実施形態に限定されるものではない。例えば、実施形態では長尺材５ａを布ベルトで形成したが、必要な強度を有するものであれば材質はどのようなものであってもよい。
また、実施形態では長尺材５ａを左右に一本ずつ設けたが、左右のそれぞれに複数本の長尺材５ａを設け、そうして内側の把手部材５と外側の把手部材５を被介護者３の体格に応じて使い分けるようにしてもよい。
また、実施形態ではベッド２の上に直接介護用シーツ１を敷くようにしたが、ベッド２の上に通常のシーツを敷いて、その上に介護用シーツ１を敷いてもよい。
【符号の説明】
【００２２】
１  …介護用シーツ
３  …横臥する人（被介護者）
４  …シーツ本体
５  …把手部材
５ａ  …長尺材
６ａ〜６ｅ  …縫合部（固着部分）
７  …介助者
【図１】
2018050709.tif 000003
【図２】
2018050709.tif 000004
【図３】
2018050709.tif 000005
【図４】
2018050709.tif 000006
【図５】
2018050709.tif 000007